(57)【要約】      （修正有）【課題】胴カールの耐圧強度、及び天蓋のシール性を向上しながら、軽量化及び材料費低減を実現することができるオープン型ドラム缶を提供する。【解決手段】オープン型ドラム缶は、上端縁に胴体カールを有する胴体２、地板、胴体２の上端開口に締結バンドを介して開閉可能に装着される天蓋８を備え、天蓋８の天蓋本体２０は、胴体カールにガスケット１８を介して嵌め合わせられる天蓋カール１６を有し、胴体カールは、上側円弧部１４ａ、下側円弧部１４ｂを有し、締結バンドは、上鍔部２８ａ、下鍔部２８ｂ、屈曲部２８ｃを有するバンド本体２８を有し、胴体カールは、横断面で見て、下側円弧部１４ｂと上側円弧部１４ａとが当接する重なり部３８を有する。【選択図】図１０
2018030636.tif 000002
【特許請求の範囲】
【請求項１】
上端縁に胴体カールを有する胴体と、
前記胴体の下端開口を閉塞する地板と、
前記胴体の上端開口に締結ハンドを介して開閉可能に装着される天蓋と
を備え、
前記天蓋の天蓋本体は、前記胴体カールにガスケットを介して嵌め合わせられる天蓋カールを有し、
前記胴体カールは、横断面で見て、前記胴体に連なる上側円弧部、及び、前記上側円弧部に連なる下側円弧部を有し、
前記締結バンドは、前記天蓋カールに当接される上鍔部、前記下側円弧部に当接される下鍔部、及び、前記上鍔部と前記下鍔部との間において屈曲された屈曲部を有するリング形状のバンド本体を有し、
前記胴体カールは、横断面で見て、前記下側円弧部と前記上側円弧部とが当接する重なり部を有する、オープン型ドラム缶。
【請求項２】
前記上側円弧部は、前記胴体から湾曲が開始される円弧始点と、前記円弧開始点から前記胴体の高さ方向に最も離間した円弧頂点とを有し、
前記重なり部は、その少なくとも一部が前記円弧始点から前記円弧頂点の間に位置付けられる、請求項１に記載のオープン型ドラム缶。
【請求項３】
前記胴体カールは、前記下側円弧部を上下に貫通する水抜孔を有する、請求項１又は２に記載のオープン型ドラム缶。
【請求項４】
前記胴体の板厚は、１．０ｍｍ以下であることを特徴とする請求項１から３の何れか一項に記載のオープン型ドラム缶。
【発明の詳細な説明】
【技術分野】
【０００１】
本発明は、開閉可能な天蓋を備えた液体危険物用オープン型ドラム缶に関する。
【背景技術】
【０００２】
この種のオープン型ドラム缶は、粘性が比較的高い液体危険物や、また、粉体又は固体等の出し入れが容易ではない内容物の充填輸送に好適し、通常の密閉型ドラム缶との相違は天板の代わりに開閉可能な天蓋を備えていることにある（例えば、特許文献１参照）。
【先行技術文献】
【特許文献】
【０００３】
【特許文献１】特開平９−２７２５３３号公報
【発明の概要】
【発明が解決しようとする課題】
【０００４】
オープン型ドラム缶も通常の密閉型ドラム缶の場合と同様に、危険物輸送に関する国連勧告(ＵＮ規格=UN Recommendations on the Transport of Dangerous Goods)に定められている気密試験、落下強度試験、水圧強度試験及び積み重ね試験の各判定基準に適合していなければならない。しかしながら、オープン型ドラム缶はその天蓋が開閉可能であるから、特にその落下強度試験や水圧強度試験の判定基準に適合した性能を満たすには、オープン型ドラム缶には通常の密閉型ドラム缶とは異なる工夫が要求される。
【０００５】
具体的には、上述の性能を左右する要因として、胴体の胴体カールの耐圧強度が考えられる。胴体カールの耐圧強度が低下することで生じる胴カールの潰れ変形は、胴体カールと天蓋カールとの間に挟み込まれるガスケットの潰れを小さくし、天蓋のシール性を低下させる。このような胴カールの潰れ変形は、胴体ひいては胴カールの板厚を薄くした場合に生じ易く、オープン型ドラム缶のさらなる軽量化及び材料費低減の実現を阻んでいた。
【０００６】
本発明はこのような課題に鑑みてなされたものであり、その目的とするところは、胴カールの耐圧強度、及び天蓋のシール性を向上しながら、軽量化及び材料費低減を実現することができるオープン型ドラム缶を提供することにある。
【課題を解決するための手段】
【０００７】
上記目的を達成するため、本発明のオープン型ドラム缶は、上端縁に胴体カールを有する胴体と、胴体の下端開口を閉塞する地板と、胴体の上端開口に締結ハンドを介して開閉可能に装着される天蓋とを備え、天蓋の天蓋本体は、胴体カールにガスケットを介して嵌め合わせられる天蓋カールを有し、胴体カールは、横断面で見て、胴体に連なる上側円弧部、及び、上側円弧部に連なる下側円弧部を有し、締結バンドは、天蓋カールに当接される上鍔部、下側円弧部に当接される下鍔部、及び、上鍔部と下鍔部との間において屈曲された屈曲部を有するリング形状のバンド本体を有し、胴体カールは、横断面で見て、下側円弧部と上側円弧部とが当接する重なり部を有する。
【０００８】
好ましくは、上側円弧部は、胴体から湾曲が開始される円弧始点と、円弧開始点から胴体の高さ方向に最も離間した円弧頂点とを有し、重なり部は、その少なくとも一部が円弧始点から円弧頂点の間に位置付けられる。
好ましくは、胴体カールは、下側円弧部を上下に貫通する水抜孔を有する。
好ましくは、胴体の板厚は、１．０ｍｍ以下である。
【発明の効果】
【０００９】
本発明のオープン型ドラム缶によれば、胴カールの耐圧強度、及び天蓋のシール性を向上しながら、オープン型ドラム缶の軽量化及び材料費低減を実現することができる。
【図面の簡単な説明】
【００１０】
【図１】本発明の一実施形態に係るオープン型ドラム缶の正面図である。
【図２】図１中のＡ部の断面図である。
【図３】図１中のＢ部の断面図である。
【図４】図１の天蓋の平面図である。
【図５】図１の締結バンドの詳細を示す斜視図である。
【図６】図５のバンド本体及びＳ金具を示す斜視図である。
【図７】図５の締結バンドの締結状態を示す平面図である。
【図８】従来において、天蓋が膨出したときの締結バンドの締結状態を示す平面図である。
【図９】図３に示す胴体カールの拡大図である。
【図１０】図７をＣ方向からみた断面図である。
【発明を実施するための形態】
【００１１】
以下、図面に基づき本発明の一実施形態に係るオープン型ドラム缶について説明する。
図１に示すように、オープン型ドラム缶１は、円筒状をなした中空の胴体２と、胴体２の下端開口を閉塞する地板４と、胴体２の上端開口に締結ハンド６を介して開閉可能に装着される天蓋８とを備える。なお、胴体２には、例えば２本の輪帯１０が形成されており、これら輪帯１０は上下方向に所定の間隔を存して配置されている。なお、オープン型ドラム缶１は、３本の輪帯１０を設けても良いし、輪帯１０を設けなくても良い。
【００１２】
図２に示すように、胴体２の下端縁と地板４の外周縁とは充填剤（図示しない）を介在させた状態で巻締めにより相互に接合され、いわゆるチャイム１２を形成している。
一方、図３に示すように、胴体２の上端縁は外側に突出するフランジ状の胴体カール１４として形成され、そして、天蓋８の上端縁もまた外側に突出するフランジ状の天蓋カール１６として形成されている。
【００１３】
天蓋カール１６は胴体カール１４よりも大きく、天蓋８が胴体２の上端開口に装着されたとき、その天蓋カール１６はガスケット１８を介して胴体カール１４に被せられる。また、胴体カール１４は、横断面でみて、胴体２に連なる上側円弧部１４ａ、及び上側円弧部１４ａに連なる下側円弧部１４ｂを有している。
ここで、本実施形態の場合、胴体２ひいては胴体カール１４の板厚は、通常（１．２ｍｍ）よりも薄い１．０ｍｍである。
【００１４】
また、ガスケット１８は、本実施形態の場合、断面視略半円形状をなし、天蓋カール１６の内側に貼付けられ、オープン型ドラム缶１内に充填する広範な液体に対して十分な化学的耐性を有する組成で形成されている。具体的には、ガスケット１８は例えば天然ゴム組成物である。
図４に示すように、天蓋８の円板状の天蓋本体２０には、その外周縁に立上り部２２が形成されている。この立上り部２２は、天蓋本体２０から垂直方向、つまり、胴体２の高さ方向に立ち上がっている。天蓋本体２０には、立上り部２２の上端に天蓋カール１６が形成されている。
【００１５】
図５に示すように、締結バンド６は、リング形状のバンド本体２８を備え、このバンド本体２８はリング形状の切れ目となる合口部３０を有し、略Ｕ字形状、又は略Ｖ字形状の横断面に形成されている。バンド本体２８にて合口部３０を形成する両端部３０ａには、一対のＳ金具３２がそれぞれ取り付けられている。これらＳ金具３２はパイプ状のボルト挿通部３４を有している。
【００１６】
図６に示すように、バンド本体２８は、天蓋カール１６に当接される上鍔部２８ａ、下側円弧部１４ｂに当接される下鍔部２８ｂ、及び上鍔部２８ａと下鍔部２８ｂとの間において屈曲された屈曲部２８ｃから形成されている。
図３に示したように、胴体２の上端開口に天蓋８が装着された後、締結バンド６はそのバンド本体２８の内側に胴体カール１４及び天蓋カール１６を包み込むようにして取り付けられる。
【００１７】
次に、図５に示す締結ボルト３６ｂ、ナット３６ｎ、ワッシャ３６ｗを準備し、締結ボルト３６ｂを一対のＳ金具３２のボルト挿通部３４にそれぞれ挿通し、ボルト挿通部３４から突出した締結ボルト３６ｂのねじ部にワッシャ３６ｗを挿通した後にナット３６ｎを螺合する。
【００１８】
そして、図７に示すように、一対のＳ金具３２がバンド本体２８の周方向に互いに当接するまで締結ボルト３６ｂを螺進することにより、バンド本体２８がその周方向に縮径され、締結バンド６は胴体カール１４と天蓋カール１６とをガスケット１８を介して締結する。こうして、胴体２に天蓋８が緊密に装着され、オープン型ドラム缶１が閉蓋される。
【００１９】
逆に、ナット３６ｎを取り外して一対のＳ金具３２から締結ボルト３６ｂを抜き取り、バンド本体２８を胴体カール１４及び天蓋カール１６から取り外せば、胴体２から天蓋８を取り外してオープン型ドラム缶１を開蓋することができる。
【００２０】
ここで、オープン型ドラム缶１の水圧強度試験では、例えば２００Ｌの容量を有したオープン型ドラム缶１を横に倒し、締結バンド６のＳ金具３２を下にした状態で図示しない試験台上に配置する。そして、この試験では、オープン型ドラム缶１内に水を注入し、オープン型ドラム缶１の内圧を０．１ＭＰａの加圧状態として、例えば５分間（液体危険物Ｙ等級の場合）維持し、この間、オープン型ドラム缶１から水漏れしないことが要求される。
【００２１】
一般に、水圧強度試験にてオープン型ドラム缶１内を加圧状態にすると、オープン型ドラム缶１の内圧によって天蓋８がオープン型ドラム缶１の外方に膨出する。特に、本実施形態のように胴体２ひいては胴体カール１４が薄厚の場合には、天蓋８の膨出変形が顕著となる。
【００２２】
図８に示すように、オープン型ドラム缶１の内圧上昇に伴い天蓋８が膨出すると、合口部３０を形成するバンド本体２８の両端部３０ａも天蓋８の膨出方向（図８で見て上方）に浮き上がる。そして、両端部３０ａ間の特に天蓋８の膨出方向側が離間する。これにより、一対のＳ金具３２同士は接触しながらバンド本体２８の両端部３０ａとともに天蓋８の膨出方向に浮き上がる。
【００２３】
従来、天蓋８の膨出に伴い浮き上がったＳ金具３２は、バンド本体２８の下鍔部２８ｂを介して胴体カール１４の下側円弧部１４ｂを押し潰して変形させる。このような胴体カール１４の潰れ変形は、バンド本体２８の下鍔部２８ｂと天蓋カール１６、ひいては胴カール１４の上側円弧部１４ａと天蓋カール１６とを離間させ、胴カール１４と天蓋カール１６との間に隙間を形成する。さらにはガスケット１８に対する胴カール１４の上側円弧部１４ａの接触面積、及び押圧力が小さくなる。このため、従来では、ガスケット１８において天蓋８のシール性（気密性）が損なわれ、水圧強度試験にて水漏れを生じるおそれがあった。
【００２４】
一方、図９に示すように、本実施形態の胴体カール１４は、横断面で見て、下側円弧部１４ｂと上側円弧部１４ａとが当接する重なり部３８を有している。重なり部３８は、図９の場合、胴体２の周方向、換言すると胴体カール１４の周方向に沿って、下側円弧部１４ｂの外側面１４ｂ１が上側円弧部１４ａの内側面１４ａ１に面接触した帯状部位である。重なり部３８の形成により、胴体カール１４内には胴体カール１４の周方向に沿った環状空間４０が形成される。
【００２５】
また、上側円弧部１４ａは、その内側面１４ａ１に、胴体２から湾曲から開始される円弧始点４２ａと、円弧始点４２ａから胴体２の高さ方向（つまり上下方向）に最も離間した円弧頂点４２ｂとを有している。そして、重なり部３８は、図９に示した場合、上側円弧部１４ａの円弧始点４２ａから円弧頂点４２ｂの間に位置付けられている。この重なり部３８の形成範囲を図９の環状空間４０の中心点Ｐを中心とした座標系にて第１象限領域Ａ１と称する。なお、重なり部３８は、その少なくとも一部が第１象限領域Ａ１に位置付けられていれば良く、その全てが第１象限領域Ａ１に位置付けられる必要はない。
【００２６】
また、重なり部３８は、胴体カール１４の全周に亘って形成されていなくとも良く、胴体カール１４に重なり部３８が形成されていない箇所（つまり、上側円弧部１４ａと下側円弧部１４ｂとが離間して隙間が生じる箇所）が部分的に存在しても良い。しかし、合口部３０の存在により天蓋８の剛性が低くなり易いことから、Ｓ金具３２が取り付けられたバンド本体２８の両端部３０ａの近傍は、バンド本体２８の他の部位に比して、天蓋８の膨出によってＳ金具３２が浮き上がり易く、胴体カール１４が潰れ変形し易い。
【００２７】
そこで、図１０に示すように、少なくともＳ金具３２が取り付けられたバンド本体２８の両端部３０ａの近傍に位置する胴体カール１４には、重なり部３８が胴体カール１４の周方向に沿って連続的に形成されるのが好ましい。
また、図８に示したように、Ｓ金具３２が浮き上がる際、Ｓ金具３２がバンド本体２８を介して胴体カール１４を押圧するのは、図１０にて中心点Ｐを中心とした座標系にて示した第３象限領域Ａ３である。第３象限領域Ａ３で生じた押圧力の作用方向は、重なり部３８が存在する第１象限領域Ａ１に向けられている。
【００２８】
また、重なり部３８は、図９及び図１０に示した面接触となる帯状部位に限らず、例えば下側円弧部１４の先端が上側円弧部１４ａの内側面１４ａ１に突き当てられて形成される線接触の部位であっても良い。
また、図９及び図１０に示したように、本実施形態の胴体カール１４は、下側円弧部１４ｂの最下端部に水抜孔４４が上下に貫通されている。
【００２９】
水抜孔４４は、胴体２に胴体カール１４を巻き込み加工して形成する前に、胴体２の上端縁部に穿孔することで形成される。水抜孔４４は、胴体カール１４の周方向に沿って略等間隔に４つ形成されている。オープン型ドラム缶１の製造工程において、締結バンド６の締結前、胴体カール１４を形成した胴体２を洗浄した際に、胴体カール１４の環状空間４０に浸入した水を水抜孔４４から容易に排出可能である。
【００３０】
以上のように本実施形態では、胴体カール１４は下側円弧部１４ｂと上側円弧部１４ａとが当接する重なり部３８を有する。ここで、従来は、オープン型ドラム缶１の内圧の上昇に伴って天蓋８が膨出変形すると、バンド本体２８が浮き上がり、上述したように、胴体カール１４が潰れ変形することで胴体カール１４と天蓋カール１６との間に隙間が形成されていた。
【００３１】
一方、本実施形態では、重なり部３８において胴体カール１４は下側円弧部１４ｂと上側円弧部１４ａとが接触することで、重なり部３８にて胴体カール１４に作用する押圧力に抗する耐力を発生させ、換言すると、胴体カール１４に作用する押圧力を胴体２側に逃がすことができる。従って、胴体カール１４の潰れ変形を抑制することができるため、胴体カール１４と天蓋カール１６との間に隙間が形成されることはなく、ガスケット１８に対する胴体カール１４の押圧が維持され、胴カール１４の耐圧強度、及び天蓋８のシール性を向上しながら、オープン型ドラム缶１の軽量化及び材料費低減を実現することができる。
【００３２】
また、Ｓ金具３２が浮き上がる際に、Ｓ金具３２がバンド本体２８を介して胴体カール１４を押圧するのは、図１０の座標系にて示した第３象限領域Ａ３である。第３象限領域Ａ３で生じた押圧力の作用方向は、重なり部３８が存在する第１象限領域Ａ１に向けられている。このため、重なり部３８の少なくとも一部を円弧始点４２ａから円弧頂点４２ｂの間に位置付けることにより、バンド本体２８ひいてはＳ金具３２の変形によって胴体カール１４に作用する押圧力を胴体２側により一層迅速に且つ効率的に逃がすことができる。従って、胴カール１４の耐圧強度、及び天蓋８のシール性をさらに向上することができる。
【００３３】
また、胴体カール１４は、下側円弧部１４ｂを上下に貫通する４つの水抜孔４４を有している。これにより、締結バンド６を締結する前、胴体２を洗浄した際に胴体カール１４内の環状空間４０に浸入した水を水抜孔４４から排出することができる。従って、胴体カール１４内の環状空間４０に浸入した水による錆の発生を抑制し、胴カール１４の耐圧強度、及び天蓋８のシール性をさらに向上することができる。
【００３４】
例えば、本実施形態では、胴体２ひいては胴体カール１４の板厚は、１．０ｍｍである。ここで、胴体２、ひいては胴体カール１４の板厚が薄いほど、オープン型ドラム缶１の内圧の上昇に伴い天蓋８が変形した際、胴体カール１４の潰れを伴う変形が生じ易い。しかし、胴体カール１４に重なり部３８を有することにより、胴体カール１４に作用する押圧力を胴体２側に逃がすことができる。
【００３５】
従って、胴体２の板厚は、１．０ｍｍに限らず、１．０ｍｍ以下の薄板ドラム缶であっても、胴体カール１４ひいては天蓋８における耐圧強度を維持しながら、材料費を低減した高コスト且つ軽量のオープン型ドラム缶１を提供することができる。具体的には、本発明は、胴体２の板厚が０．８ｍｍや０．６ｍｍｍなどの場合にも広く適用可能である。なお、本発明は、胴体２の板厚が通常の１．２ｍｍである場合にも適用可能であることは勿論である。
【００３６】
また、水抜孔４４は、４つに限らず、少なくとも１つ以上形成されていれば、環状空間４０に浸入した水抜きが可能であるため、胴体カール１４の錆付きを抑制可能である。
【符号の説明】
【００３７】
１    オープン型ドラム缶
２    胴体
４    地板
６    締結ハンド
８    天蓋
１４    胴体カール
１４ａ    上側円弧部
１４ｂ    下側円弧部
１６    天蓋カール
１８    ガスケット
２０    天蓋本体
２８    バンド本体
２８ａ    上鍔部
２８ｂ    下鍔部
３８    重なり部
４２ａ    円弧始点
４２ｂ    円弧頂点
４４    水抜孔
【図１】
2018030636.tif 000003
【図２】
2018030636.tif 000004
【図３】
2018030636.tif 000005
【図４】
2018030636.tif 000006
【図５】
2018030636.tif 000007
【図６】
2018030636.tif 000008
【図７】
2018030636.tif 000009
【図８】
2018030636.tif 000010
【図９】
2018030636.tif 000011
【図１０】
2018030636.tif 000012